(57)【特許請求の範囲】
【請求項１】
故人の象徴が安置された、故人の目録と信仰に纏わる文言を同時に表示するお祈りモードを有する故人を祀る装置において、
ユーザが檀家として所属するお寺、当該ユーザが利用する給食サービスセンタ、当該ユーザが居住する地域を分担する保健・福祉サービスセンタ、当該ユーザと離れて暮らす家族の居所、当該ユーザの訪問介護を担当する訪問介護センタ、および当該ユーザが居住する地域の救急医療センタのうちのいずれか１つ以上に夫々設置された情報処理機と通信回線網を介して接続され、
少なくとも日取りと予定された内容とを含むスケジュール情報を記憶するスケジュール記憶手段と、
前記情報処理機の、前記通信回線網における接続先を示すアドレスを記憶する第１のアドレス記憶手段と、
前記第１のアドレス記憶手段に記憶されたアドレスに向けてスケジュール情報の提供を求めるコマンドを送信し、前記情報処理機を用いて入力されたスケジュール情報のうち自分に対して入力されたスケジュール情報のみを取得して前記スケジュール記憶手段に格納する第１の処理を実行する通信手段と、
前記通信手段を定期もしくは不定期に起動する起動手段と、
前記スケジュール記憶手段に格納されたスケジュール情報を表示する表示手段とを備えたことを特徴とする故人を祀る装置。
【請求項２】
所定の割込みが入力される割込入力手段と、
所定の事態の発生を告げる音声が記憶される音声記憶手段と、
前記割込み入力時の、前記通信回路網の接続先を示すアドレスを記憶する第２のアドレス記憶手段とを備え、
前記通信手段が、前記第１の処理を実行するとともに、前記割込み入力時に、前記第１の処理を実行している途中で該割込みが入力された場合は前記第１の処理の実行を中断して、前記第２のアドレス記憶手段に記憶されたアドレスに向けて前記音声記憶手段に記憶された音声を読み出して送信する第２の処理を実行するものであることを特徴とする請求項１記載の故人を祀る装置。
【発明の詳細な説明】
【０００１】
【産業上の利用分野】
本発明は、故人の象徴（例えば位牌、霊位、遺影、故人のアルバム等）が安置される故人を祀る装置に関する。
【０００２】
【従来の技術】
高齢者にとって、朝に夕に仏壇の前に座ってお祈りする等、仏壇が生活のかなり中心的存在になっている場合も多い。近年、この仏壇に電子装置を組み込んだいわゆる電子仏壇が提案されてきている。
例えば、実開昭５９−１０６４９０号公報には、故人の写真（静止画像）や動画像を仏壇に保存するように仏壇にビデオ装置を組み込むことが提案されている。
【０００３】
また、実開昭６０−８８８８１号公報には、仏壇にコンピュータを組み込み、故人の月忌，年忌等を保存しておいて必要時に明示すること、故人の写真，音声，生前の事跡の記録等を保存しておき、必要に応じて資料，データを加除すること、各種のお経，法話，音楽等を保存しておいて必要時に出力するということが提案されている。
【０００４】
また、実開昭６２−３９５７８５号公報には、仏壇にコンピュータシステム、特にディスプレイ装置やプリンターを組み込み、その日一回の活動の基本となるデータをファイルから読み出して表示，出力するということが提案されている。さらに、実開平４−４５４７７号公報には、仏壇の前に人が座ったことを検知し、焼香時の点火装置，照明装置，読経装置等の機器を動作させるという提案がなされている。
【０００５】
いずれもかなり抽象的な段階にとどまっているものの、上記のように、仏壇に組み込むべき電子機器に関し、種々の提案がなされている。
【０００６】
【発明が解決しようとする課題】
ところが仏壇等のユーザは、概ね高齢者であり、自分でビデオを撮影したり収録したりすることは勿論のこと、自分でキーボードを叩いて情報を入力するというようなシステムは基本的に受け入れられない。したがって電子仏壇を構築するにあたっては、情報をどこでどう作り、いかにして個々のユーザに提供するかという考察が極めて重要であるにも拘らず、従来の提案にはこの考察やその考察を踏まえた工夫がなされた電子仏壇は何も提案されていない。例えば、上述したように、実開昭６２−３９５７８号公報には、高齢者にとって大変要望の高い、その日一日の活動の基本データをファイルから読み出して出力する旨の提案がなされているが、この基本データの入力はこの公報にいう操作装置（恐らくはキーボード等をいうものと思われる）の操作により行われるものであり、これでは仏壇に折角コンピュータシステムを組み込んでも実際に利用されることはほとんど望めない。
【０００７】
また、上述のように、仏壇を介してユーザにどのような情報を提供したいかという点については、抽象的ながらも種々公知となっているが、どの情報をいつどのようにしてユーザに提供するのが使い易いかという観点からの考察は何もされておらず、それに沿った提案も何もなされていない。
さらに、核家族化が進む今日、高齢者のみの世帯や、さらに単身の高齢者のみの世帯が増えており、そのような高齢者世帯を、いかにして地域の福祉サービスネット（例えば集団検診情報、老人会情報等）、在宅医療ネット、家族ネット等を通じて社会と結びつけるかが大きな課題である。特に、高齢者は身体の不調等を緊急に訴える必要を生じる可能性が高く、そのような緊急時に離れて住んでいる家族や医療機関にいかにして緊急連絡するかが大きな課題である。
【０００８】
その答えの１つは、そのような高齢者にとって生活の中心的存在である仏壇と結びつけることにあると考えられるが、従来の電子仏壇にはそれに類した提案は一切見当たらない。
本発明は、上記事情に鑑み、高齢者等複雑な操作に馴染まないユーザに必要な情報を提供するシステムに適合した、電子仏壇等の故人を祀る装置を提供することを目的とする。
【０００９】
【課題を解決するための手段】
上記目的を達成する本発明の第１の故人を祀る装置は、故人の象徴が安置される故人を祀る装置において、
（１）少なくとも日取りと予定された内容とを含むスケジュール情報を記憶するスケジュール記憶手段
（２）通信回線網を介して接続される外部装置の、その通信回線網における接続先を示すアドレスを記憶する第１のアドレス記憶手段
（３）上記通信回路網をアクセスして上記第１のアドレス記憶手段に記憶されたアドレスに向けてスケジュール情報の提供を求めるコマンドを送信し、その通信回路網を経由して送信されてきたスケジュール情報を受信して上記スケジュール記憶手段に格納する第１の処理を実行する通信手段
（４）通信手段を定期もしくは不定期に起動する起動手段
（５）上記スケジュール記憶手段に格納されたスケジュール情報を表示する表示手段
を備えたことを特徴とする。
【００１０】
ここで、本発明の「故人を祀る装置」は、特定の宗教，宗派に限定されるものではなく、例えば仏教，神道，キリスト教，イスラム教等いずれの宗教に関するものであってもよい。また本発明の「故人を祀る装置」は特定の宗教に限定された形態に構成される必要はなく汎用的に用いられるものであってもよく、さらには無宗教のものであってもよい。
【００１１】
また、上記「故人の象徴」も特定のものに限定されるものではなく、前述したように、例えば位牌、霊位、遺影（写真、肖像画、胸像等）であってもよく、さらには、遺骨、遺髪、形見等であってもよく、また、例えば遺影等についても物理的に存在するものである必要はなく、表示画面上に表示されるものであってもよい。
【００１２】
したがって、本発明において「安置」とは物理的な実体のあるものをそこに据え置くことに限定される用語ではなく、例えば故人の象徴が表示画面に表示されるように設備されていること等をも含む用語として解釈される。
また、上記「通信回線網」、「アドレス」は、典型的には、既存の電話回線網およびその電話番号をいうが、そのような既成の通信回線網以外の、例えば特定の加入者のみを結ぶ通信回線網とその加入者番号等や、地域内の通信回線網とそのＩＤ番号等であってもよく、特に限定されるものではない。
【００１３】
また、上記起動手段による通信手段の起動は定期もしくは不定期に行われるが、スケジュール情報等の収集に都合のよい期間が設定されるのは当然であり、起動手段が通信手段を起動するタイミングは、例えば１２時間毎，２４時間毎等、所定時間毎であってもよく、例えば毎夜、但しある処理が終了した不定の時刻に一回等、日にち単位で指定されたものであってもよく、あるいはカレンダ機能を内蔵しておき、例えば平日の早朝一回等、曜日を含んだ情報で指定される時刻であってもよい。さらには、スケジュール情報が送信されてくる頻度やスケジュール情報を送信する相手先等に応じて、通信手段を起動する頻度を可変にしてもよい。
【００１４】
さらに、上記「スケジュール情報」も特定の情報に限定されるものではないが、例えば、離れて暮らす家族や親戚、友人、知人、あるいは医師、看護人、ホームヘルパー、そのほかの人の来訪予定や、地域の老人会、宗教団体、町内会、同好会、行政、その他の団体の行事予定等が含まれる。
上記第１の故人を祀る装置において、
（６）所定の割込みが入力される割込入力手段
（７）所定の事態の発生を告げる音声が記憶される音声記憶手段
（８）上記割込み入力時の、通信回路網の接続先を示すアドレスを記憶する第２のアドレス記憶手段
を備え、
さらに、上記通信手段が、上述した第１の処理を実行するとともに、上記割込み入力時に上記第２のアドレス記憶手段に記憶されたアドレスに向けて音声記憶手段に記憶された音声を読み出して送信する第２の処理を実行するものである
ことが好ましい。
【００１５】
ここで、上記（６）の割込入力手段は、ユーザが自分で操作する、例えば緊急押ボタン等であってもよく、あるいは、各種のセンサ、例えば指に嵌める血圧センサが異常な血圧を検出したときに割込みが入力されるもの、トイレの使用頻度をセンスし例えば丸一日中トイレが使用されなかったときに割込みが入力されるもの等であってもよい。
【００１６】
この場合に、通信手段は、上記第１の処理を実行している途中で割込みが入力された場合に、その第１の処理の実行を中断して上記第２の処理を実行するものであることが好ましい。
また、上記本発明の上記第１の故人を祀る装置において、
（９）上記表示手段を点灯させて、その表示手段に、スケジュール記憶手段に記憶されたスケジュール情報の少なくとも一部を表示させる表示制御手段
（１０）上記表示制御手段を起動するための灯明スイッチ
を備えた構成とすることが好ましい。
【００１７】
この場合、さらに、
（１１）現在の日付を認識するカレンダ手段
（１２）スケジュール記憶手段に記憶されたスケジュール情報の日取りを認識して本日あるいは明日のスケジュール情報を抽出する一日の活動データ抽出手段
を備え、
上記表示制御手段が、少なくとも、上記一日の活動データ抽出手段で抽出された本日あるいは明日のスケジュール情報を表示手段に表示させるものであることも好ましい態様である。
【００１８】
また、この場合、さらに、
（１３）温度センサを備え、
上記表示制御手段が、表示手段に、上記スケジュール情報のほか、温度センサで測定された温度情報を表示するものであることも好ましい態様である。温度センサのほかに湿度センサも備えてもよい。
【００１９】
また上記目的を達成する本発明の第２の故人を祀る装置は、故人の象徴が安置される故人を祀る装置において、
（１４）読み出しを規制する鍵コード付き情報が格納された携帯記憶媒体からその鍵コード付き情報を読み出すための鍵コードを記憶する鍵コード記憶手段
（１５）上記携帯記憶媒体が装脱自在に装填され、装填された携帯記憶媒体から情報を読み出す情報読出手段
（１６）情報読出手段で読み出された情報を表示する表示手段
を備えたことを特徴とする。
【００２０】
ここで、上記携帯記憶媒体が、信仰に纏る情報もしくは故人に纏る情報のうち少なくとも一方を記憶するものであることが好ましい。
この携帯記憶媒体としては、例えば光磁気ディスク，フロッピーディスク，マグネットテープ、メモリカード等が好適に採用される。
上記「信仰に纏る情報」は、特定の情報に限定されるものではなく、宗教，宗派によって様々に異なる場合もあるが、例を挙げると、この「信仰に纏る情報」には、お経、説法、賛美歌、聖書、コーラン等の文言を表わす文字情報、それらを発音したあるいは歌った音声を表わす音声情報、その宗教，宗派の神仏、聖地の風景等の画像を表わす画像情報等の一部もしくは全部が含まれる。
【００２１】
また上記「故人に纏る情報」も、特定の情報に限定されるものではなく、例えば故人の業績，生前の様子等を記述した文字情報、それらを発音した音声情報、故人の写真、肖像画、胸像等の遺影を表わす画像情報等の一部もしくは全部が含まれる。
上記本発明の第２の故人を祀る装置において、
上記（１５）の情報読出手段が、読み出しを規制する第１の鍵コード付きの第１の情報を固定的に記憶するＲＯＭ部と、読み出しを規制する第２の鍵コード付き第２の情報を追記自在に記憶するＲＡＭ部とを備えたパーシャルＲＯＭ光磁気ディスクが装脱自在に装填されるものであり、
上記（１４）の鍵コード記憶手段が、上記ＲＯＭ部に記憶された第１の鍵コード付きの第１の情報を読み出すための第１の鍵コードと、上記ＲＡＭ部に記憶された第２の鍵コード付きの第２の情報を読み出すための第２の鍵コードとの双方を記憶するものであることが好ましい。
【００２２】
この場合、上記パーシャルＲＯＭ光磁気ディスクが、ＲＯＭ部に、信仰に纏る情報を上記第１の情報として記憶するとともに、ＲＡＭ部に、故人に纏る情報を上記第２の情報として記憶するものであることが好ましい。
また、上記携帯記憶媒体ないしパーシャルＲＯＭ光磁気ディスクに信仰に纏る情報及び／又は故人に纏る情報が格納されている場合に、上記信仰に纏る情報が信仰に纏る文言を表わす文字情報を含むものであるとともに、上記故人に纏る情報が故人の目録を表わす文字情報を含むものであって、
上記第２の故人を祀る装置が、
（１７）表示手段に、故人の目録と信仰に纏る文言を同時に表示させるお祈りモード用表示制御手段
を備えることが好ましい。
【００２３】
また、上記信仰に纏る情報が、信仰に纏る文言を表わす文字情報を含むとともに、上記故人に纏る情報が、故人の遺影を表わす画像情報を含むものであって、
上記第２の故人を祀る装置が、
（１８）所望の故人を選択する選択手段
（１９）表示手段に、上記選択手段により選択された故人の遺影と信仰に纏る文言を同時に表示させる祭祀モード用表示制御手段
を備えることも好ましい態様である。
【００２４】
これらの場合に、上記信仰に纏る情報が、さらに、信仰に纏る文言を発音した音声情報を含むものであって、
上記第２の故人を祀る装置が、
（２０）音声を発するスピーカ手段
（２１）表示手段に信仰に纏る文言が表示されているタイミングで、スピーカ手段にその文言を発音させる発音制御手段
を備えることも好ましい態様である。
【００２５】
さらには、上記故人に纏る情報が、故人に纏る情報を音声で伝達するための音声情報を含むものであって、
上記第２の故人を祀る装置を、
（２２）音声を発するスピーカ手段
（２３）スピーカ手段に上記音声情報に基づく音声を発音させる発音制御手段
を備えた構成とすることも好ましい態様である。
【００２６】
さらに上記本発明は、上記第１の故人を祀る装置と上記第２の故人を祀る装置とに峻別されたものである必要はなく、これら第１の故人を祀る装置および第２の故人を祀る装置の双方の構成を兼ね備えたものであってもよい。
さらに、上記第１の故人を祀る装置ないし第２の故人を祀る装置は、故人の象徴と共に信仰の対象とされる神仏の象徴を安置するものであってもよい。
【００２７】
ここで、上記「信仰の対象とされる神仏の象徴」とは、特定のものに限定されるものではなく、例えば御本尊、御礼、その神棚（故人を祀る装置）そのもの等であってもよく、さらに例えばキリスト教に関しては、十字架、キリスト像，聖マリア像等であってもよく、あるいは各宗教，宗派に特有な象徴的なものであってもよい。さらには、それら御本尊等は物理的な実体として存在するものではなく、表示画面等に表示されるものであってもよい。
【００２８】
【作用】
本発明の第１の故人を祀る装置は、アドレス記憶手段に格納されたアドレス（例えば電話番号）に、例えば毎朝一回電話をかけてスケジュール情報をフェッチし、そのようにして収集されたスケジュール情報を、必要に応じて、例えば上記（９）の灯明スイッチがオンされた場合に、表示手段に表示する機能を備えたものであり、典型的なユーザとして想定される高齢者が自らキーボードを叩いて情報を入力するといったことは不要であり、しかもそのユーザに生活の中心的存在である仏壇等を媒体として必要な情報が提供される。
【００２９】
スケジュール情報を表示するにあたっては今日または明日のスケジュール情報（典型的には朝には今日の情報、夕には明日の情報）を抽出して表示すると、より解り易い表示が行なわれることになる。
温度センサないし温湿度センサを備えて、温度ないし温湿度を表示すると、高齢者のユーザにとって好ましい表示内容となる。
【００３０】
また、本発明の第１の故人を祀る装置において、典型的には異常事態が発生したときに入力される割込みの機能を備えることにより、ユーザの安全面まで配慮されたものとなる。
また、本発明の第２の故人を祀る装置は、鍵コード付の、例えば信仰に纏る情報や故人に纏る情報が格納された、例えばパーシャルＲＯＭ光磁気ディスク等の携帯記憶媒体を装脱自在に装填し、しかもその故人を祀る装置に情報を読み出すための鍵コードを格納しておいてその携帯記憶媒体に格納された情報を読み出すものであり、例えば特定の宗教団体ないしお寺が、自分の宗教に関する、例えばお経、教え等を携帯記憶媒体の形で発行し、その宗教団体に属する会員、そのお寺の檀家等、特定の人にのみ情報を提供するシステムに適合する。
【００３１】
また、自らは情報を入力しない例えば高齢者のユーザがその携帯記憶媒体を、故人に纏る情報の入力を業とする、例えば葬儀屋や仏具屋に渡して故人に纏る情報を入力してもらうことができる。このとき、その携帯記憶媒体に例えば特定の宗教団体の信仰に纏る情報が既に記憶されていても、特定の人にのみその読出しを可能としておくことにより、不正コピーが防止され、その「信仰に纏る情報」の出版元の版権が守られる。
【００３２】
鍵コードを知らないと読み出すことのできないシステムは既に知られているが、それを、電子仏壇等故人を祀る装置に適用することにより、上記のように極めて有用な、出版元の版権が保持され、かつ高齢者等にやさしいシステムを構築することができる。
また、上記第２の故人を祀る装置において、故人の目録と信仰に纏る文字、例えば典型的にはお経を同時に表示することにより、例えば毎日の朝夕の祈りに適合した表示が行なわれる。その際に、信仰に纏る文字、例えばお経を表示するとともに、そのお経を音声でも流すことにより、朝夕の祈りの行為に一層適合したものとなる。
【００３３】
また、上記の故人を祀る装置は、特定の故人の命日等にその故人を特定してお祈りを捧げる行為にも適合することが好ましく、この場合、上記第２の故人を祀る装置において、特定の故人の遺影を表示するとともに、信仰に纏る文言、例えばお経を同時に表示し、さらに好ましくはそのお経を音声で流すことにより、故人を特定したお祈りの行為がサポートされる。その際、その特定された故人に纏る情報、例えば生前の業績、足跡等を文字、画像で表示したり、音声で流したりすることにより、その故人を特定したお祈りの行為を一層充実させることができる。
【００３４】
【実施例】
以下、本発明の実施例にについて説明する。本発明は宗教、宗派を問うものではないが、ここでは、本発明の故人を祀る装置の例である電子仏壇を例に挙げて説明する。
図１は本発明の故人を祀る装置の一実施例である電子仏壇を含むシステムの一例を示す模式図である。以下に説明する電子仏壇は、本発明の第１の故人を祀る装置の一実施例と第２の故人を祀る装置の一実施例との双方を兼ね備えたものであり、図１に示す実線の通信網は本発明の第１の故人を祀る装置の一例に関連し、破線の矢印は本発明の第２の故人を祀る装置の一例に関連する。
【００３５】
この電子仏壇１は、パーシャルＲＯＭ光磁気ディスク（以下、「ＭＯ」と略記する）２が装脱自在に装填されるように構成されている。またこの電子仏壇１は、電話回線等の公衆通信回線３を介して、その電子仏壇１のユーザが檀家として所属するお寺４、そのユーザが利用している給食サービスセンタ５、そのユーザが居住する地域を分担する保健・福祉サービスセンタ６、そのユーザと離れて暮す、そのユーザの家族の居所７、そのユーザの訪問看護を担当する訪問看護センタ８、そのユーザが居住する地域の救急医療サービスセンタ９と接続されており、それらお寺４、給食サービスセンタ５、保健・福祉サービスセンタ６、家族の居所７、訪問看護センタ８、救急医療サービスセンタ９には、その公衆通信回線３に接続された、電子仏壇１に情報を提供する側の情報処理機（後述する）が接続されている。
【００３６】
また、ＭＯ２は、お寺４が所属する宗教団体で発行された、ＲＯＭ部にお経、説法等、本発明にいう信仰に纏る情報が格納された状態のものがお寺４を通じて供給される。ＭＯを媒体として用いると、そのＲＯＭ部にスタンパ（印刷）によりお経等の情報を記録することができ、同一のものを安価に大量に供給することができる。
【００３７】
電子仏壇１のユーザに供給されたＭＯ２は、そのユーザの家族や親戚等が亡くなると、もしくは既に亡くなった家族や親戚等について、その亡くなった人に纏る情報（アルバム）を編集してもらうために、そのアルバム編集の基になる各種資料や写真とともに、葬儀屋、仏具屋等の編集サービス業者１０に渡される。ここで言うアルバムは、単に写真を配列した狭い意味のものではなく、ここでは、写真、動画等の画像情報、故人の生前の業績、足跡等を記した画像情報、文字情報、音声情報等を総称する言葉として用いられている。
【００３８】
編集サービス業者１０で故人のアルバムが編集されそのアルバムがＭＯ２に格納されると、そのＭＯ２が電子仏壇１のユーザに戻される。
図２は、電子仏壇１の扉を観音開きにした状態の斜視図である。
この電子仏壇１の内部には、御本尊様１１や故人の位牌１２、その他蝋燭１３ａ，１３ｂ、焼香のための香炉１４等が配置されている。また、左右の扉１ａ，１ｂの内側（扉１ａ，１ｂを開いたときに正面を向く側）にそれぞれ左右の液晶ディスプレイ１５ａ，１５ｂが取り付けられており、それらの液晶ディスプレイ１５ａ，１５ｂの下方には、それぞれ左右のスピーカ１６ａ，１６ｂが組み込まれている。またこの電子仏壇１の下部には後述する電子装置が組み込まれており、その正面には、ＭＯ２を装填するスロット１７およびスイッチパッド１８のケーブル１８ａを接続するコネクタ（図示せず）が配置されている。尚、スイッチパッド１８は、ケーブル１８ａで電子仏壇１と接続されるのでなく、無線で電子仏壇１に情報を伝達するものであってもよい。また、この電子仏壇１は、公衆通信回線３（図１参照）と接続されているが、公衆通信回線３と接続するための通信ケーブル等の図示は省略されている。さらにこの電子仏壇１には、その側壁等目立たないところに、この電子仏壇１に電力を供給するための電源スイッチが備えられており、その電源スイッチは、通常の使用状態においては常にオンの状態に保持されている。
【００３９】
図３は、スイッチパッドの平面図である。
このスイッチパッド１８には、後述する灯明モードの処理の開始、停止を支持する灯明釦、処理の終了を指示する終了釦１８２、液晶ディスプレイ１５ａ，１５ｂに表示された表示画面（後述する）上の複数の選択枝の中から所望の１つを選択するための一対のカーソル釦１８３ａ，１８３ｂ、カーソル釦１８３ａ，１８３ｂで選択された選択枝に対応する処理を起動するための起動釦１８４、ユーザが体調に不調を来たしたときやその他緊急に人に連絡する必要がある場合に押される緊急釦１８５が備えられている。この緊急釦には、不用意に押されないよう、図示しない保護カバーが被せられている。
【００４０】
図４は本発明の電子仏壇１に組み込まれた電子装置の構成を示すブロック図である。
この電子装置２０にはＣＰＵ２１が備えられており、このＣＰＵ２１にはメモリ２２に格納された後述する各種の制御プログラムがバス４０を介して入力されて実行される。メモリ２２には、各種の制御プログラムのほか、通信テーブル（本発明にいう第１のアドレス記憶手段および第２のアドレス記憶手段に対応する）、来訪／行事予定テーブル（本発明にいうスケジュール記憶手段に対応する）、鍵コードテーブル（本発明にいう鍵コード記憶手段に対応する）等も格納されている。また、この電子装置２０には、バッテリでサポートされた無停電タイマ／カレンダ２３、自動的にダイヤルを回して公衆通信回線３と接続する自動通信装置２４、所定の音声データが格納された音声メモリ２５、アンプ２６、スピーカ１６ａ，１６ｂ（図２参照）。音声メモリ２５から音声データを読み出して所定の形式の音声信号に変換し、自動通信装置２４又はアンプ２７に送る音声発生装置２７が備えられている。音声信号が自動通信装置２４に送られると、自動通信装置２４は、その音声信号を、公衆通信回線３を介して所定の相手先へ送信する。また、音声信号がアンプ２６に送られると、その音声信号は、アンプ２６を経由してスピーカ１６ａ，１６ｂに送られ、スピーカ１６ａ，１６ｂから音声が発せられる。
【００４１】
またこの電子装置２０には、２つの液晶ディスプレイ１５ａ，１５ｂ（図２参照）、各液晶ディスプレイ１５ａ，１５ｂの表示データが記憶される表示メモリ２８ａ，２８ｂ、バス４０を経由して送られてきた表示データを表示メモリ２８ａ，２８ｂに格納するディスプレイインターフェース２９、ＭＯ２が装填されそのＭＯ２をアクセスする、鍵コード処理付のＭＯドライバ３０、前述したスイッチパッド１８（図２，図３参照）、およびそのスイッチパッド１８の操作情報をバス４０に伝える入力インターフェース３１、気温・湿度センサ３２、その気温・湿度センサ３２で検出された気温，湿度をバス４０に伝える入力インターフェース３３が備えられている。
【００４２】
図５は公衆通信回線３を介して電子仏壇１と結ばれる、図１に示すお寺４、保健・福祉サービスセンタ５等に備えられるコンピュータ装置（本発明にいう外部装置の例）の内部構成を示すブロック図である。
このコンピュータ装置５０には、ＣＰＵ５１が備えられており、ＣＰＵ５１における処理の実行にあたっては、磁気ディスク５２に格納された制御プログラムが磁気ディスクドライバ５３により読み出されバス７０を経由して内部メモリ５４に一旦格納され、その後、その内部メモリ５４からその制御プログラムがバス７０を介して１ステップずつ順次ＣＰＵ５１に送られ、ＣＰＵ５１でその制御プログラムに沿った処理が実行される。
【００４３】
またこのコンピュータ装置５０には、ＣＲＴディスプレイ５５、そのＣＲＴディスプレイ５５に表示される表示データを格納する表示メモリ５６、バス７０を経由して送られてきた表示データをその表示メモリ５６に格納するディスプレイインターフェース５７が備えられている。さらにこのコンピュータ装置５０には、キーボード５８が備えられており、キーボード５８を操作したことによる情報はキーボードインターフェース５９を介してバス７０に伝達される。さらにこのコンピュータ装置５０には、バッテリにサポートされた無停電タイマ／カレンダ６０、公衆通信回線３を介して電子仏壇１と結ばれる自動通信装置６１が備えられている。
【００４４】
このコンピュータ装置５０は、電子仏壇１との通信専用のものであってもよいが、他の各種の処理実行用のものと兼用したものであってもよい。
図６は、図５に示すコンピュータ装置５０の磁気ディスク５２の内部に作成される来訪／行事予定テーブルの例を示した図である。
この来訪／行事予定テーブルには、図５に示すキーボード５８の操作によりデータが入力される。
【００４５】
例えば保健所では、その保健所に登録されたユーザの、その保健所用のユーザＩＤ（ここではＡＢＣ１０００〜ＡＢＣ２０００）が指定され、そのユーザＩＤを持つユーザ向けの情報であることを明示した上で、例えば以下の情報が、ここに示す来訪／行事予定テーブルに入力される。即ち、ここに示す例は、『平成５年１月１２日午前９時から、保健所主催で、小学校において、西地区の高齢者を対象とした成人病検診が行なわれ、その料金は無料である』というものである。ここでは複数のユーザＡＢＣ１０００〜ＡＢＣ２０００についてまとめて示されているが、このような情報が、各ユーザＩＤ毎に作成される。尚、当然ながら、キーボード操作の際は、ユーザＩＤとしてＡＢＣ１０００〜ＡＢＣ２０００を指定して一度データを入力すればよく、制御プログラムにより、各ユーザＩＤ毎のデータに展開されてこの来訪／行事予定テーブルに書き込まれる。後述するようにして、電子仏壇１が公衆通信回路３を介して保健所に備えられたコンピュータ装置５０をアクセスし、この保健所に備えられたコンピュータ装置５０が磁気ディスク５２内の来訪／行事予定テーブルから、アクセスしてきた電子仏壇１のＩＤ番号と同一のユーザＩＤのアドレスの情報を読み取ると、そのアドレスの「備考」の欄に「継続」が記入され、「Ｒ」の欄にその情報が読み取られた日時（この例では「１月１日５時」）が記入される。読み取られた情報を直ちに消去しないのは、情報を受け取った電子仏壇１がシステムダウンしてその情報が破壊されてしまった場合に、立ち上げ後、再度その情報を読み取ることができるようにするためである。情報の消去は、その予定の日時の経過により行なわれる。
【００４６】
また、家族の居所に備えられたコンピュータ装置５０の来訪／行事予定テーブルには、例えば以下のような情報が書き込まれる。即ちこの図６に示す例では、電子仏壇１のユーザ‘ＡＫＡＳＩ  ＴＡＲＯ’さん宛ての情報として『平成５年１月１５日午前１１時に、私（富士花子、明石太郎さんの子供とする）と一緒に市民ホールで開催されるコンサートに行きましょう。私は富士太郎（明石太郎の孫とする）をつれて行きます。』が示されている。「備考」の欄の「変更」は、その情報が一度電子仏壇１で読まれた後（読まれた日時は１月５日５時）、その情報に何らかの変更があったことを示すものであり、「備考」に「変更」が記載されていると、次にその電子仏壇１からアクセスがあったときにこの情報が再度その電子仏壇１に向けて送信される。
【００４７】
また、給食サービスセンタに備えられたコンピュータ装置５０の来訪／行事予定テーブルには、例えば、図６に図示のようなＡ−９９９のユーザＩＤをもつユーザに向けた情報として『平成６年１月１６日午後５時に、給食サービスセンタからＡ−９９９の御自宅に食事を３人前宅配いたします。料金は３０００円です。』という情報が入力される。これは、例えばＡ−９９９のユーザＩＤを持つ電子仏壇１のユーザが、通常の方法、例えば電話で給食サービスセンタに注文を出したときに、相手が高齢者であって注文したことを忘れる場合もあることから、給食サービスセンタではその注文の確認のために、来訪／行事予定テーブルにその注文を書き込むものである。「備考」の欄には、未だこの情報が電子仏壇の方へ渡っていないことを示す「ＮＥＷ」が記載されており、したがって、この情報を読み出した日時が記入される「Ｒ」の欄は未だ空欄となっている。
【００４８】
図７は、公衆通信回線３を経由して来訪／行事予定情報を受け取るための、電子仏壇側の処理プログラムを示すフローチャートである。このプログラムは、電子仏壇１の電子装置２０（図４参照）に備えられた無停電タイマ／カレンダ２３により、例えば毎日一回早朝の所定時刻に起動される。
また、図８は、相手先（コンピュータ装置５０；図５参照）から送信されてきた来訪／行事予定情報を格納する電子仏壇側の来訪／行事予定テーブルを示す図である。
【００４９】
この来訪／行事予定テーブルは、図６に示す来訪／行事予定テーブルと同様の構成であるが、図６に示す来訪／行事予定テーブルに示す「ユーザＩＤ」，「Ｒ」の欄は不要であるためそれらの欄は備えられていない。また「備考」の欄は、図６に示す送信側の来訪／行事予定テーブルの「備考」の目的と異なり、そこには通信先から付随的に送信されてきた情報が書き込まれる。
【００５０】
電子仏壇側には、このような来訪／行事予定テーブルが、本日の予定を格納する本日予定テーブル、明日以降１週間以内の予定を格納する週予定テーブル、それ以降の予定を格納する長期予定テーブルの３つに分けて構成されている。
また、図９は、電子仏壇１の通信テーブルを示す図である。この通信テーブルには、連絡先ないし通信先の電話番号と、各電話番号毎の登録されたＩＤ番号が記録されている。またこの通信テーブルには「緊急」と「情報」という区分があり、「緊急」は、そこに記録された電話番号が、緊急釦１８５（図３参照）が押されたときにダイヤルすべき電話番号であることを示し、「情報」は、来訪／行事予定情報を入手するためにダイヤルされる電話番号であることを示している。同一の電話番号が、「緊急」のアドレスと「情報」のアドレスとの双方に登録されていてもよい。「処理済フラグ」の欄には、そこに電話をかけ所定の処理を行なったことを示すフラグが格納される。
【００５１】
また図１０は、電子仏壇１から通信先へ向けて送信されるコマンドの形式を示す図である。
先ず最初に通信手順を示すプロトコルが送信され、次いで自分のＩＤ番号が送信され、それに次いでコマンドが送信される。電子仏壇１から送信されるコマンドは、来訪／行事予定情報を検索してもし自分向けの情報がある場合にその情報を自分に向けて送信することを指示する「情報検索コマンド」と、情報検索中に緊急釦１８５が押された場合に、その情報検索を緊急に終了させることを指示する「緊急終了コマンド」との二種類である。
【００５２】
図７に戻って説明を続ける。
図７に示すルーチンが起動されると、先ず図８に示す来訪／行事予定テーブルが整理される（ステップ７＿１）。
既に予定日時の過ぎた本日予定テーブルの内容が消去され、週予定テーブルがサーチされて本日の予定が本日予定テーブルに転送されるとともに週予定テーブルからは消去され、長期予定テーブルがサーチされて明日以降１週間以内の予定が週予定テーブルに転送されるとともに長期予定テーブルからは消去される。
次にステップ７＿２において、図９に示す通信テーブルの「区分」の欄に「情報」が記載されているアドレスの処理済フラグがサーチされる。「情報」が記載されているアドレスの処理済フラグが全てオン（処理済）の場合は終了し、未だオフのアドレスが存在するときはステップ７＿３に進み、その未処理のアドレスのうちの１つがピックアップされて自動通信装置２４（図４参照）に通知される（ステップ７＿３）。自動通信装置２４では、その通知されたアドレスの電話番号を自動ダイヤルし、接続されると図１０に示す形式のコマンドを送信する（ステップ７＿４）。このときのコマンドは、情報検索コマンドである。その電話番号に回線が接続されないとき、例えば話し中のときは、ステップ７＿２の通信テーブルのサーチに戻る。自動ダイヤルにより通信先との回線が接続され、通信先から来訪／行事予定情報を受け取ると、あるいは送信すべき来訪／行事予定情報が無い旨の通知を受け取るとその回線が切断される（ステップ７＿５）。またこのとき、通信テーブル中の通信の終了したアドレスの処理済フラグの欄に処理済を示すフラグが立てられる。来訪／行事予定が無かったときはそのままステップ７＿２に戻る。来訪／行事予定情報を受け取ったときは、その予定の年月、日時が認識され（ステップ７＿６）、その年月、日時に応じて、その受け取った来訪／行事予定情報が本日予定テーブル、週予定テーブル、又は長期予定テーブルに書き込まれる。複数の来訪／行事予定情報を受け取ったときは、同様の処理が繰り返される。その後ステップ７＿２に戻る。
【００５３】
電子仏壇１の側では、以上の処理により、公衆通信回線３を経由した情報の入手が行なわれる。
図１１は、電子仏壇１から情報検索コマンドを受け取ったときに起動される、コンピュータ装置５０（図５参照）側のルーチンを示すフローチャート、図１２は、コンピュータ装置５０から電子仏壇１に向けて送信される来訪／行事予定情報のデータ形式を示す図である。
【００５４】
電子仏壇１からの情報検索コマンドが着信すると、図１１に示すルーチンが起動され、着信されたＩＤ番号により、図６に示す形式の来訪／行事予定テーブルがサーチされる（ステップ１１＿１）。一致するＩＤ番号が付された情報が存在すると、そのアドレスの「備考」の欄が、「ＮＥＷ」（ステップ１１＿２）、もしくは、「変更」（ステップ１１＿３）であるか、それとも「継続」であるかが判定され、「継続」の場合既にその情報は電子仏壇１の側に送信された情報であるためステップ１１＿１に戻り、次に同じＩＤ番号の情報がないかサーチされる。「備考」の欄に「ＮＥＷ」又は「変更」が記載されていた場合は、そのアドレスの情報が、各情報毎に図１２に示すデータ形式を持つ伝送情報バッファに登録され、同時に、伝送情報バッファのヘッダラベルに来訪／行事予定情報の数，レコード長が記入あるいは更新され、さらにそのアドレスの「Ｒ」の欄に読出し日時が登録され、さらにそのアドレスの「備考」の欄が「継続」に変更されて、ステップ１１＿１に戻る。以上のようにして、図６に示す形式の来訪／行事予定テーブルの検索が終了すると、伝送情報バッファに格納されたデータが電子仏壇１に送信される（ステップ１１＿５）。その電子仏壇１に向けて送信すべき来訪／行事予定情報が１つもなかったときは、ヘッダラベルの来訪／行事予定情報数＝０のデータが生成されて電子仏壇１に送信される。
【００５５】
図１３は、緊急釦１８５（図３参照）が押されたときに起動される電子仏壇側のルーチンのフローチャートである。
緊急釦１８５が押されると、図１３に示すルーチンが起動され、先ずステップ１３＿１において、現在、公衆通信回線３（図１参照）を介して通信が行なわれているか否かが判定される。通信中の場合、通信の相手先へ向けて、図１0 に示す形式の緊急終了コマンドが送信され（ステップ１３＿２）、回線切断処理が行なわれ（ステップ１３＿３）、ステップ１３＿４に進む。通信中でなかった場合は、直接、ステップ１３＿４に進む。
【００５６】
ステップ１３＿４では、電子仏壇１の内部で、緊急釦押下に伴う処理以外の処理が実行中であるか否かが判定され、実行中のものがあれば、ステップ１３＿５に進んで、実行中の各処理が初期状態に戻るように、プログラム、テーブル類を設定し直す割り込み中断処理が実行され、ステップ１３＿６に進む。実行中の処理がなかった場合は、そのまま、ステップ１３＿６に進む。
【００５７】
ステップ１３＿６では、図９に示す通信テーブル中の「緊急」に区分されているアドレスが順次参照され、各アドレスの処理済フラグがオン（処理済）になっているか否か検索され、全てのアドレスが処理済であれば図１３に示すフローが終了し、未処理のアドレスが１つでもあれば、ステップ１３＿７に進む。ステップ１３＿７では、その未処理のアドレスの中の１つがピックアップされ、自動通信装置２４（図４参照）に送られる。自動通信装置２４は、自動ダイヤルして回線を接続する。話し中の場合は、ステップ１３＿６に戻り、他の未処理の緊急連絡先が存在する場合は、今度はその緊急連絡先に向け同様のことを繰り返す。自動通信装置２４は、図４に示す無停電タイマ／カレンダ２３から日、時刻を音声発生装置２７を経由して、受け取り、また音声メモリ２５にあらかじめ格納されていた緊急時用の音声データを音声発生装置２７を経由して受け取る。このとき、音声発生装置２７は、音声メモリ２５から緊急時用の音声データを読み出すとともに、無停電タイマ／カレンダ２３から入力された日、時刻に対応した、音声メモリ２５のアドレスからその日、時刻に対応する音声データを読み出してそれらの音声データを組み合わせ、通信用の音声信号変換して自動通信装置２４に渡す（ステップ１３＿９）。自動通信装置２４は、受け取った自動緊急音声を通信先に向けて発信する。この自動緊急音声は、通信先の電話のフックの押下まで繰り返され、フックの押下が検知されると、ステップ１３＿６に進み、他にも未処理の緊急連絡先が存在する場合、同様の処理が繰り返される。
【００５８】
図１４は、情報提供先のコンピュータ装置５０（図３参照）で実行されるプログラムのフローチャートである。このプログラムは、情報検索コマンドを受信し、提供すべき情報を検索している途中で緊急終了コマンドを受信した場合を示している。
この図１４に示すルーチンが起動されると、ステップ１４＿１において、そのコンピュータ装置５０の磁気ディスク５２（図５参照）内の、来訪／行事予定テーブル（図６参照）が参照され、その来訪／行事予定テーブルに、入力された緊急終了コマンド（図１０参照）に含まれるＩＤ番号と同一のユーザＩＤが存在するか否かがサーチされる。存在する場合は、その同一のユーザＩＤのあるアドレスの「備考」の欄が「ＮＥＷ」又は「変更」であるか、それとも「継続」であるかが判定される（ステップ１４＿２，１４＿３）。「ＮＥＷ」又は「変更」の場合、「Ｒ」の欄が参照され、そこに、現在の日時が記録されているか、それとも過去の日時が記録さているかが参照される。現在の日時が記録されている場合は、この来訪／行事予定テーブルが既に参照され、この来訪／行事予定テーブルから、そのユーザに送信すべき情報を取り出したにも拘らず、未だ送信が完了していない可能性があるため、次回の情報送信の機会に再度送信されるよう、「Ｒ」の欄の日付を前日の日付に戻して前日に送信が完了したことにし、かつ「備考」の欄を「変更」に書き換えて、前日以降に内容の変更が生じたということにする。
【００５９】
来訪／行事予定テーブルの全てのアドレスについて上記ステップ１４＿１〜１４＿５の処理が終了すると、来訪／行事予定テーブルからそのユーザ向けの情報を抽出して送信のために一旦蓄えておく伝送情報バッファをクリアし（ステップ１４＿６）、その電話を音声通信モードへ切り替えて電話のベルを鳴らす（ステップ１４＿７）。誰れかが受話器をとると、緊急事態を告げる音声が聞こえてくる（図１３ステップ１３＿１０参照）。
【００６０】
尚、この図１４に示すルーチンは、コンピュータ装置５０側が、図９に示す通信テーブルの、「緊急」と「情報」との双方のアドレスに登録されている場合のルーチンであり、「情報」のアドレスにのみ登録されている場合は、音声通信モードへの切り替えは不要であるため、ステップ１４＿７はスキップして終了する。
【００６１】
図１５は、電子仏壇１に装填されるＭＯのメモリ構成を示した図、図１６は、ＭＯのＲＯＭ領域に設定された共通情報部のメモリマップを示す図、図１７は、ＭＯのＲＡＭ領域に設定された個人情報部のメモリマップを示す図である。
ＭＯ２の内部は、図１５に示すように、管理領域２１と、ＲＯＭ領域２２と、ＲＡＭ領域２３とに区分けされる。ＲＯＭ領域２２には、図１６に示すような共通情報部が設定され、教団などの出版元で、お教、説法、マナー等、本発明にいう「信仰に纏る情報」が印刷（記憶）され、お寺４を経由して檀家（電子仏壇１のユーザ）に配布される（図１参照）。この共通情報部には、ヘッダ部に「区分」、「標題」、「アドレス」のテーブルがあり、「区分」には、「お教」、「説法」、「マナー」、…等の区分が記入され、「標題」には、お教の題名、例えば般若心経等が記入され、「アドレス」には、その標題の内容の記憶領域の先頭アドレス等が記入され、そのヘッダ部に続き、各標題の内容が記憶されている。
【００６２】
また、電子仏壇１のユーザが、お寺４から配布されたＭＯ２に故人アルバムの入力を希望する場合、ＭＯ２が、故人アルバムの編集に必要な資料とともに、葬儀屋、仏具屋等の編集サービス会社に渡され、編集サービス会社では、ＭＯ２のＲＡＭ領域２３（図１５参照）に設定された個人情報部に、図１７に示す形式の故人アルバムを格納する。個人情報部には、ヘッダ部に「区分」、「アドレス」の欄があり、「区分」の欄には、「故人リスト」、「故人のアルバム」、「写真」、「家系図」…等の区分が記入され、「アドレス」にはその標題が付された内容が記憶された先頭アドレスが記入される。また、「故人リスト」にはそれぞれの特定の故人の情報として、姓名、戒名、命日が記憶されている。さらに、故人リスト中の特定の故人の情報に対応した欄には、その故人の祭祀（後述する）のときに掲示される写真が記憶されたアドレスとその故人のアルバムが記憶されたアドレスが格納されている。
【００６３】
編集サービス会社で図１７に示すような故人情報を編集、入力すると、そのＭＯ２は、再び電子仏壇１のユーザに戻される。
図１８は、共通情報部、個人情報部の鍵コードによる、書き込み、読み出しの可否を示す図である。
教団など、共通情報部の出版元では、その共通情報部に情報を書き込むことができ、またその書き込んだ情報を読み出すこともできる。しかし、出版元では個人情報部に情報を書き込んだり読み出したりすることはできない。一方、仏具屋などの編集サービス会社では、共通情報部に情報を書き込んだり共通情報部から情報を読み出したりすることはできない。したがって不正コピー等が防止され、出版元の版権が保護される。編集サービス会社では、個人情報部には読み書きは可能である。
【００６４】
また、電子仏壇１のユーザである特定の個人は、その電子仏壇１を用いて、共通情報部、個人情報部から情報を読み出すことのみが可能である。
図１９は、電子仏壇１のスイッチパッド１８に備えられた灯明釦１８１（図３参照）を押したときに起動される灯明ルーチンのフローチャートである。
灯明釦１８１が押下されると、図１９に示す灯明ルーチンが起動され、これにより、この電子仏壇１は、灯明モードとなる。
【００６５】
この灯明モードでは、先ず図２に示す左右のディスプレイ１５ａ，１５ｂが点灯し（ステップ１９＿１）、挨拶処理サブルーチンが実行される（ステップ１９＿２）。
図２０は挨拶処理サブルーチンのフローチャートである。
この挨拶処理サブルーチンでは、先ず、無停電タイマ／カレンダ２３（図４参照）のタイマを照合し、現在時刻が調べられる（ステップ２０＿１）。その後、その現在時刻に応じて、ステップ２０＿２〜２０＿４の各処理が行なわれる。ステップ２０＿２〜２０＿４の各処理では、ディスプレイ１５ａ，１５ｂへの表示処理と、スピーカ１６ａ，１６ｂからの音声出力処理が行なわれる。音声データは、音声メモリ２５にあらかじめ格納されている。図２０に示す×印の部分は、無停電タイマ／カレンダ２３および気温・温度センサ３２からの情報に基づいて文章合成、音声合成される。
【００６６】
図１９に示す灯明ルーチンにおいて、ステップ１９＿２の挨拶処理１９＿２が終了すると、ディスプレイ１５ａにメニュー画面が表示され、メニュー選択処理が行なわれる（ステップ１９＿３）。
図２１はメニュー画面の一例を示す図である。
ディスプレイ１５ａに図２１に示すようなメニュー画面が表示されると、図３に示すカーソル釦１８３ａ，１８３ｂにより、「お祈り」、「祭祀」、「情報」のいずれかのメニューが選択され、起動釦１８４が押される。すると、どのメニューが選択されたかに応じて、図１９に示す各ステップ１９＿４、１９＿５、１９＿６のいずれかに分岐する。尚、通常は、お祈りモードの使用頻度が高いため、図２１に示すメニュー画面が表示されたときは、初期状態として「お祈り」が選択されていることが好ましい。また、このメニュー画面が表示されている際（すなわちステップ１９＿３にある状態）において、スイッチパッド１８の灯明釦１８１が再度押下されると、ディスプレイ１５ａ，１５ｂが消灯し、図１９に示すルーチンを抜ける。
【００６７】
図２１に示す「お祈り」が選択され、起動釦１８４が押されると、ステップ１９＿４に進み、お祈り処理が実行される。
図２２は、お祈り処理サブルーチンのフローチャートである。
このお祈り処理では、先ずステップ２２＿１において、ＭＯ２のＲＡＭ領域に設定された個人情報部のヘッダ部（図１７参照）の情報が読み込まれ、そのヘッダ部の情報から故人リストのアドレスが認識され、ステップ２２＿２に進んで故人リストが読み込まれ、その故人リストの中の全ての故人の情報が、図４に示すディスプレイインターフェース２７を介して表示メモリ２８ａに格納され、左側のディスプレイ１５ａに表示される。
【００６８】
図２３は、左側のディスプレイ１８ａに表示される故人リストの一例を示す図である。尚、この図２３に示す「カーソン選択し起動ボタンを押して下さい。」の文字は、後述する祭祀モードでは表示されるが、このお祈りモードで表示されない。
図２２に示すルーチンでは、次にＭＯ２の共通情報部のヘッダ部（図１６参照）の情報が読み込まれ、そのヘッダ部の情報から所定のお教のアドレスが認識され、そのお教が読み込まれて、右側のディスプレイ１５ｂにスクロール表示され、またそれとともにそのお教がスピーカ１６ａ，１６ｂから音声出力される（ステップ２２＿３，２２＿４）。読経が終了すると、ディスプレイ１５ａ，１５ｂの各表示が消去される。但しディスプレイ１５ａ，１５ｂはまだ点灯された状態にある。
【００６９】
図２２に示すお祈り処理が終了すると、図１９に示すルーチンのステップ１９＿７に進み、一日の活動データの報知が行なわれる。
図２４は、一日の活動データ報知のサブルーチンのフローチャートである。
このサブルーチンの実行が開始されると、先ず、無停電タイマ／カレンダ２３の現在時刻が調べられ、朝か夕に区分される（ステップ２４＿１）。
【００７０】
朝／夕の場合、それぞれ「今日の予定をお知らせします。」、「明日の予定をお知らせします。」という音声がスピーカ１６ａ，１６ｂから流れ、来訪／行事予定テーブル（図８参照）から、それぞれ、今日、明日の予定が抽出されてディスプレイ１５ａに表示される（ステップ２４＿２〜２４＿５）。尚、このときの音声は、音声メモリ２５にあらかじめ格納されている。以下の音声についても同様である。
【００７１】
図２５は今日の予定の表示例を示す図である。
下線の部分は来訪／行事予定テーブルから抽出され、文章合成されて図示のように表示される。ただし実際の表示では下線は表示されない。
次いで、「次に週間予定をお知らせします。」という音声がスピーカ１６ａ，１６ｂから流れ、ディスプレイ１５ｂに週間予定が表示される（ステップ２４＿６，２４＿７）。
【００７２】
そのあと、朝／夕に応じて、終わりの挨拶が流れ（ステップ２４＿８〜２４＿１０）、このルーチンを設ける。
図２６は、図２１のメニュー選択画面で「祭祀」が選択されたときに実行される。図１９のルーチンのステップ１９＿５に対応する祭祀サブルーチンのフローチャートである。
【００７３】
この祭祀サブルーチンが起動されると、先ずステップ２６＿１において、ＭＯ２の個人情報部のヘッダ部の情報が読み込まれ、故人リストのアドレスが認知されて故人リストの中の全ての故人の情報が読み込まれ、表示メモリ２８ａ（図４参照）に送られて左側のディスプレイ１５ａ（図２参照）に表示される。表示される故人リストは、図２３に示すようなものであり、この祭祀モードではこの図２３の下部にあるような文字も表示される（ステップ２６＿２，２６＿３）。
【００７４】
その状態でスイッチパッド１８（図３参照）のカーソル釦１８３ａ，１８３ｂの操作により特定の故人が選択され起動釦１８４が押下されると（ステップ２６＿４）、故人リスト中の選択された特定の故人の写真アドレス（図１７参照）からその故人の写真情報が読み込まれ、表示メモリ２８ｂに送られて右側のディスプレイ１５ｂ（図２参照）にその故人の写真が表示される。尚、左側のディスプレイ１５ａに故人リストが表示されているときにスイッチパッド１８の終了釦１８２が押下されると、この祭祀サブルーチンを抜ける。
【００７５】
右側のディスプレイ１５ｂに故人の写真が表示された後、今度はＭＯ２の共通情報部のヘッダ部の情報が読み込まれ、左側のディスプレイ１５ａに今度はお経のリストが表示される（ステップ２６＿６）。このお経のリストは、図２３に示す故人のリストの故人の名前、法名等をお経の名称に代えたものであり、図示は省略する。再度カーソル釦１８３ａ，１８３ｂの操作により、今度は所望のお経が選択され、起動釦１８４が押される。このとき起動釦１８４に代えて終了釦１８２が押されると、この祭祀サブルーチンを抜ける（ステップ２６＿７，２６＿８）。お経が選択されると、ＭＯ２の共通情報部の選択されたお経の情報が読み込まれ、右側のディスプレイ１５ｂにそのお経がスクロール表示されるとともにスピーカ１６ａ，１６ｂからそのお経が音声出力される。読経が終了すると、その故人の読経時の写真以外のアルバム（生前の業績、足跡のナレーション等を含む）が存在するか否かが調べられ（ステップ２６＿１０）、存在しないときは終了し、存在するときは、ＭＯ２の個人情報部からその故人のアルバムが読み出されて表示出力及び／又は音声出力される（ステップ２６＿１１）。
【００７６】
図１９に示すルーチンのステップ１９＿３で表示されたメニュー画面（図２１参照）の「情報」が選択され起動釦１８４が押されると、ステップ１９＿６に進み、情報メニューが表示される。
図２７は、情報メニュー画面の一例を示した図である。
ここには「お経の練習」、「家系図」、「マナー集」、「お説法」のメニューが用意されており、カーソル釦１８３ａ，１８３ｂで所望のメニューを選択して起動釦１８４を押すと、それぞれのルーチンへと移行する（ステップ１９＿７）。ここでの各ルーチンについては省略する。
【００７７】
お祈りモード、祭祀モード、情報モードが終了すると、ステップ１９＿３に戻り、図２１に示すメニュー画面が表示される。
図２８は鍵コード付きの情報の書き込みの例を示す図、図２９は、鍵コード付きの情報の読み取りの例を示す図である。
鍵コード用の８バイトのシフトレジスタ３１１が用意され、鍵コードと、ＭＯ２に書き込もうとするデータ列とがバイト毎に加算されたデータ列が生成され、その加算されたデータ列がＭＯ２に書き込まれる。
【００７８】
電子仏壇１にも、書き込み側の鍵コードと対応する鍵コードが格納された、８ワード（１ワード＝２バイトとする）のシフトレジスタ３１２が用意されている。
書き込み側ではバイト単位の鍵コードあるのに対し読み取り側でワード単位となっているのは、図２８に示されているように、その鍵コードとデータ列とが加算され、ワード単位のデータとしてＭＯ２に格納されていることに対応する。
【００７９】
ＭＯ２からデータが読み取られ、各ワード毎に、シフトレジスタ３１２に格納された鍵コードとの引き算が演算され、これにより、もとのデータが再生される。このようにして、鍵コードを知らない者の読み取りが禁止される。
尚、上記実施例は、電子仏壇についての例であるが、本発明は、仏教のみを対象とするものではなく宗教、宗派を問わないものである。
【００８０】
【発明の効果】
以上説明したように、本発明の故人を祀る装置によれば、複雑な操作を強いることなく、高齢者等のユーザに地域社会とのコミュニケーションが提供され、また日々のお祈り、祭祀等に必要な情報が提供される。
【図面の簡単な説明】
【図１】本発明の故人を祀る装置の一実施例である電子仏壇を含むシステムの一例を示す模式図である。
【図２】電子仏壇の扉を観音開きにした状態の斜視図である。
【図３】スイッチパッドの平面図である。
【図４】本発明の電子仏壇に組み込まれた電子装置の構成を示すブロック図である。
【図５】公衆通信回線を介して電子仏壇と結ばれる、図１に示すお寺、保健・福祉サービスセンタ等に備えられるコンピュータ装置の内部構成を示すブロック図である。
【図６】図５に示すコンピュータ装置の磁気ディスクの内部に作成される来訪／行事予定テーブルの例を示した図である。
【図７】公衆通信回線を経由して来訪／行事予定情報を受け取るための電子仏壇側の処理プログラムを示すフローチャートである。
【図８】相手先から送信されてきた来訪／行事予定情報を格納する電子仏壇側の来訪／行事予定テーブルを示す図である。
【図９】電子仏壇の通信テーブルを示す図である。
【図１０】電子仏壇から通信先へ向けて送信されるコマンドの形式を示す図である。
【図１１】電子仏壇から情報検索コマンドを受け取ったときに起動される、コンピュータ装置側のルーチンを示すフローチャートである。
【図１２】コンピュータ装置からの電子仏壇に向けて送信される来訪／行事予定情報のデータ形式を示す図である。
【図１３】緊急釦が押されたときに起動される電子仏壇側のルーチンのフローチャートである。
【図１４】情報提供先のコンピュータ装置で実行されるルーチンのフローチャートである。
【図１５】電子仏壇に装填されるＭＯのメモリ構成を示した図である。
【図１６】ＭＯのＲＯＭ領域に設定された共通情報部のメモリマップを示す図である。
【図１７】ＭＯのＲＡＭ領域に設定された個人情報部のメモリマップを示す図である。
【図１８】共通情報部、個人情報部の鍵コードによる、書き込み、読み出しの可否を示す図である。
【図１９】電子仏壇のスイッチパッドに備えられた灯明釦を押したときに起動されるルーチンのフローチャートである。
【図２０】挨拶処理サブルーチンのフローチャートである。
【図２１】メニュー画面の一例を示す図である。
【図２２】お祈り処理サブルーチンのフローチャートである。
【図２３】左側のディスプレイに表示される故人リストの一例を示す図である。
【図２４】一日の活動データ報知サブルーチンのフローチャートである。
【図２５】今日の予定の表示例を示す図である。
【図２６】図２１のメニュー選択画面で「祭祀」が選択されたときに実行される、祭祀サブルーチンのフローチャートである。
【図２７】情報メニュー画面の一例を示した図である。
【図２８】鍵コード付きの情報の書き込みの例を示す図である。
【図２９】鍵コード付きの情報の読み取りの例を示す図である。
【符号の説明】
１    電子仏壇
２    パーシャルＲＯＭ光磁気ディスク（ＭＯ）
１５ａ，１５ｂ    液晶ディスプレイ
１６ａ，１６ｂ    スピーカ
１７    ＭＯ用スロット
１８    スイッチパッド
２０    電子装置
５０    コンピュータ装置
【図１】
0003539754.tif 000002
【図２】
0003539754.tif 000003
【図３】
0003539754.tif 000004
【図４】
0003539754.tif 000005
【図５】
0003539754.tif 000006
【図６】
0003539754.tif 000007
【図７】
0003539754.tif 000008
【図８】
0003539754.tif 000009
【図９】
0003539754.tif 000010
【図１０】
0003539754.tif 000011
【図１１】
0003539754.tif 000012
【図１２】
0003539754.tif 000013
【図１３】
0003539754.tif 000014
【図１４】
0003539754.tif 000015
【図１５】
0003539754.tif 000016
【図１６】
0003539754.tif 000017
【図１７】
0003539754.tif 000018
【図１８】
0003539754.tif 000019
【図１９】
0003539754.tif 000020
【図２０】
0003539754.tif 000021
【図２１】
0003539754.tif 000022
【図２２】
0003539754.tif 000023
【図２３】
0003539754.tif 000024
【図２４】
0003539754.tif 000025
【図２５】
0003539754.tif 000026
【図２６】
0003539754.tif 000027
【図２７】
0003539754.tif 000028
【図２８】
0003539754.tif 000029
【図２９】
0003539754.tif 000030